(57)【要約】      （修正有）【課題】炊飯に必ず必要な事柄は、研・洗米の作業である。この作業において、不経済なことは、無駄な水の使用と、防ぎきれない米の流失である。又、この作業に要する時間は累積するとかなりなものである。【解決手段】洗米容器の内側面に弾性を持った素材で、その素材に穿孔された器具をセットすることで、白濁水は完全に流されるので、濯ぎの回数が削減される。本発明の器具の使用により、米の流失は完全に防ぐことが出来、米・麦の流失を防ぐための心労からも開放される。掌のみで洗米するとき、米・麦の流失を防ぐため、白濁水を流し捨てる度に１分近くも時間を要し、濁水も完全に流しきれないが本発明の器具を使用することで、この時間が２０秒以内で完全に濁水を流しきることができる。しかも、すすぎの回数が普通２回、多くても３回で完了する。本発明の器具の使用には何らの特別なテクニックを要さず、素材の性質から、安価である。【選択図】図５
2008043703.tif 000002
【特許請求の範囲】
【請求項１】
洗米時に、釜・鍋、或いは飯盒等の容器の内側面に、穴が設けられた板状の本体を当てがい、白濁水を流し捨てる際、水を完全に切る性質を有することを特徴とする、節水型洗米器具。
【請求項２】
洗米時に、米或いは麦の粒を流失させないために、前項の板に設けられた穴の大きさ及びその密度が調整されていることを特徴とする請求項１に記載の節水型洗米器具。
【請求項３】
塩化ビニール、ソフトプラスティック、或いはステンレス等の、耐蝕・防錆・防黴材を素材とする、請求項１又は請求項２に記載の節水型洗米器具。
【請求項４】
請求項３に記載の素材が弾性を有することを特徴とする、請求項１の節水型洗米器具。
【請求項５】
洗米時に、洗米容器の中に本体をセットしたとき、先米器具の上端が、洗米容器の上部からはみ出る範囲が５乃至１０センチメートルであることを特徴とする、請求項１から請求項４までのいずれかに記載の節水型洗米器具。
【請求項６】
洗米器具が洗米容器の底に接する部分は、器具の下部に丸みを持った切り欠きが施されたことを特徴とする、請求項１から請求項５までの何れかに記載の節水型洗米器具。
【請求項７】
洗米器具が洗米容器の外にはみ出ている部分の上端の角は、丸みを持った形態であることを特徴とする、請求項１から請求項項６までの何れかに記載の節水型洗米器具。
【請求項８】
請求項１から請求項７までの何れかに記載の節水型洗米器具を使用しないとき、洗米器具本体に設けられた各穴に対応するような、突起を設けられたことを特徴とする板状の材で洗米器具本体の穿孔された部分の保護を目的とする、節水型洗米器具用の補助板。
【発明の詳細な説明】
【技術分野】
【０００１】  本発明は、米を研ぎ濯ぐ際に使用する水量を減じ、当然のように惹起していた流出米・麦を完全になくする本体と、使用時以外に於いて収納するときに本体を保護する板との組み合わせからなっている節水型洗米器具である。
【背景技術】
【０００２】  本発明は、洗米時に釜、鍋或いは飯盒等の容器の内側面に、穴が設けられた板状の本体を当てがい、白濁水を流し捨てる際に完全に水を切る性質を有することを特徴とする節水型洗米器具であり、従来の掌のみによる洗米時に惹起していた流出米を困難を伴わず完全になくすることができるため、流出米を防ぐ為の心労から開放される節水型洗米器具である。【０００３】  本発明の素材には弾力性を持たせてあるため、研・洗米時にこの洗米器具が、洗米容器の内側面にぴったりとフィットする特徴を有する。従って、白濁水が洗米の都度完全に切れるので濯ぎの回数が２度、米の量が多い場合でも３度で十分満足感が得られるような節水型洗米器具である。【０００４】  前項で述べた通り、濯ぎの回数が従来の掌に頼る場合と比較すると、圧倒的に少ないのが特徴で、本発明を利用することで使用する水量は、使用しない場合の３分の２乃至２分の１程度である。これを地域的に観ると、膨大な量の節水に寄与できる節水型洗米器具である。【０００５】  本発明は、最小単位の世帯のみならず、米飯を提供する営業者、学校、病院といった大量の研・洗米に拘わる場合でも、器具の大きさを変えることで対応できる節水型洗米器具である。【０００６】  少人数の世帯に於いてもかなりの量の節水が期待できるが、地域的に、或いはグローバル的に、常時相当量の節水に寄与できる節水型洗米器具である。【特許文献】特開平７−２１３４２９号公報
【発明の開示】
【発明が解決しようとする課題】
【０００７】  洗米に要する作業時間の短縮。本発明の器具を使用しないで白濁水を完全に流し捨てるには１回毎に１分近くの時間を要するが、この器具を使用すると、２０秒以内で完了する。【０００８】  流失米を防ぐために要する心労からの開放。特に麦に関しては成果が顕著に確認できる。麦は米と比較するとかなり軽いので、掌では完全に防止することは不可能である。器具を使用しないとき、掌を丸めて米の流失防止に備えるが、全く流失させない人は皆無と言える。この節水型洗米器具を使用することにより、水と共に洗米容器の外に流れ出る米は、節水型洗米器具上３センチメートル付近で留まるので、流失を如何に防ぐかという心労から完全に開放される。【０００９】  本発明の最大の課題は、節水である。節水量を最も小さく見積もっても、毎日１回の使用で、年間では、２４時間分に相当する節水が可能である。これは渇水期に於いて、ある地域の断水が余儀なくされるような時、８時間断水を考えると実に３日分に相当する。【００１０】  米を研ぎ、濯ぐという単純な日常の作業の中にある幾つかの課題が挙げられるが、此処では、      １  濯ぎに要する水の節約      ２  白濁水を流すときに惹起する流失米・麦の防止      ３  流失米・麦を防ぐに要する心労からの開放      ４  研・洗米作業時間の短縮  等に関しての解決を図る手段として考える。
【課題を解決するための手段】上記の課題を解決するために【００１１】  洗米時に、釜・鍋或いは飯盒等の内側面に、穴が開けられた板状の本体を当てがい、水を流す際に完全に水を切る性質を有することを特徴とする節水型洗米器具である。【００１２】  洗米時に、米或いは麦を流失させない為に、前項の板状の本体に設けられた穴の大きさ及びその密度が調整されていることを特徴とする請求項１に記載の節水型洗米器具である。【００１３】  塩化ビニール、ソフトプラスティック或いはステンレス等の耐蝕、防錆、防黴材を素材とする請求項１又は請求項２に記載の節水型洗米器具である。【００１４】  本発明の請求項４では、請求項３の素材が弾性を有することを特徴とする請求項１の節水型洗米器具である。【００１５】  本発明の請求項５では、洗米時に、本発明の洗米器具を洗米容器の内側面にセットしたとき、この器具の上部５乃至１０センチメートルが洗米容器の外にはみ出ることを特徴とする、請求項１に記載の節水型洗米器具である。【００１６】  本発明の請求項６では、この器具を洗米容器内にセットしたとき容器の底に接するこの器具の底辺には、丸みを持った切り欠きが施されたことを特徴とする、請求項１から請求項５までの何れかの項に記載の節水型洗米器具である。【００１７】  本発明の請求項７では、この器具を洗米容器にセットしたとき容器からはみ出る部分のうち最上部の角は、丸みを持った形態であることを特徴とする、請求項１から請求項６までの何れかに記載の節水型洗米器具である。【００１８】  本発明の請求項８では、請求項１から請求項７までの何れかに記載の節水型洗米器具を使用しないとき、器具本体に設けられた各穴に対応する突起が施されたことを特徴とする板状の材で、本体の穿孔された部分の保護を目的とする節水型洗米器具用の補助板である。
【発明の効果】  本発明の節水型洗米器具を洗米容器の内側面にセットし、本器具を使用しない従来の洗米時と変わらない要領で作業することのみで、他に特記事項はない。なぜならば、本発明の節水型洗米器具の構造が人間工学的であるため、使用するにあたって、特別な技術を要しないからである。
【発明を実施するための最良の形態実施例】
【００１９】  本発明の節水型洗米器具を洗米容器の内側面にセットする。この時、洗米容器の内側面と本洗米器具の間に米粒を挟みこまないことが肝要であるが、器具が弾性を持つ板状の形態であることから、容易に克服でき、何らの困難性はない。
【００２０】［節水量及び流失米の量に関する考察］  図６に、本発明の節水型洗米器具を使用した場合の節水量の試算値を示す。又、図７に節水型洗米器具を使用しない場合に流失される米の量の試算値を示す。米を研ぐ頻度は、世帯によって差異はあるが、ここでは世帯あたり１日１回とした。節水量はどの世帯も３リットルを下回ることはないが、敢えて２リットルとして試算した。又、流失米の量は、人により異なるが、１５粒から２０粒を流失させるという人が圧倒的に多いことから、１度の研米毎に０．５グラムとした。流失される米の量は、５キログラム入りの袋の数に換算してある。
【００２１】
【図面の簡単な説明】    図１は、節水型洗米器具本体の図である。        １  節水型洗米器具本体に開けられた穴である。        ２  本器具を洗米容器にセットした時、容器外にはめ出る部分、５〜１０ｃｍ。        ３  本器具を洗米容器にセットした時、容器内にあり穴がある部分、３ｃｍ以上。        ４  穴の直径、２ｍｍ。        ５  穴と亜安との間隔、５ｍｍ以内。        ６  洗米容器の深さ。        ７  洗米容器の底の部分に接する両端からの切れ込み、１５〜２０ｍｍｍ。        ８  本器具を洗米容器にセットする時、容器外にはみ出る部分を５〜１０ｃｍに合わせられるように、予め長めに作られた本器具を、適切な長さに切り落とすためのガイドライン。        ９  節水型洗米器具本体の横幅、２０〜２５ｃｍ。      １０  節水型洗米器具本体。      １１  節水型洗米器具の長さ、３０ｃｍ。    図２は、節水型洗米器具を使用しない時の、収納状態を示す図である。      １２  節水型洗米器具を保護する補助板。      １３  補助板に設けられた突起で、収納時、本体の穴を貫通している状態。    図３は、節水型洗米器具を洗米容器にセットした状態を示す図である。      ２０  洗米容器。    図４は、節水型洗米容器を使用して、白濁水を流し捨て始める状態を示す図である。      ３０  洗米容器内の米・麦。      ４０  白濁水。    図５は、節水型洗米容器を使用して、白濁水を流しきる状態を示す図である。    図６は、節水型洗米器具を使用した時の、節水量を示す表である。    図７は、節水型洗米器具を使用しない時、流失される米の量を示す表である。
【図１】
2008043703.tif 000003
【図２】
2008043703.tif 000004
【図３】
2008043703.tif 000005
【図４】
2008043703.tif 000006
【図５】
2008043703.tif 000007
【図６】
2008043703.tif 000008
【図７】
2008043703.tif 000009